(57)【要約】【課題】簡易な構成でありながら、高精度に温度を検知することができる温度センサユニットを提供する。【解決手段】位置決め部材１３０は、測定対象物１６０を把持する把持部１３２と、把持部１３２に連結されていると共に、把持部１３２によって把持されている測定対象物１６０とセンサケース１２０とが接触している状態で、測定対象物１６０に向けてセンサケース１２０を付勢する第一付勢部１３１と、を有する。把持部１３２は、基部１３４と、基部１３４に向けて測定対象物１６０を付勢する第二付勢部１３５と、を有する。基部１３４は、第一付勢部１３１が測定対象物１６０に向けてセンサケース１２０を付勢している状態において、センサケース１２０と当接することで、第一付勢部１３１がセンサケース１２０を付勢する方向に直交する方向におけるセンサケース１２０の動きを規制する。【選択図】図１
2018105643.tif 000002
【特許請求の範囲】
【請求項１】
温度センサと、
前記温度センサが収容されているセンサケースと、
測定対象物に対して前記センサケースを位置決めする位置決め部材と、を備え、
前記位置決め部材は、
前記測定対象物を把持する把持部と、
前記把持部に連結されていると共に、前記把持部によって把持されている前記測定対象物と前記センサケースとが接触している状態で、前記測定対象物に向けて前記センサケースを付勢する第一付勢部と、を有し、
前記把持部は、基部と、前記基部に向けて前記測定対象物を付勢する第二付勢部と、を有し、
前記基部は、前記第一付勢部が前記測定対象物に向けて前記センサケースを付勢している状態において、前記センサケースと当接することで、前記第一付勢部が前記センサケースを付勢する方向に直交する方向における前記センサケースの動きを規制する、温度センサユニット。
【請求項２】
前記基部は、前記第一付勢部が前記センサケースを付勢する方向に直交する方向から見て、前記第一付勢部と前記第二付勢部との間に位置している、請求項１に記載の温度センサユニット。
【請求項３】
前記基部には、前記センサケースが配置される開口が形成されており、
前記開口を画成する縁に、それぞれ異なる方向で、前記開口に配置されている前記センサケースと当接することで、前記センサケースの動きを規制する複数の規制面が形成されている、請求項２に記載の温度センサユニット。
【請求項４】
前記基部には、前記開口に連続する、前記センサケースの挿入口が形成されている、請求項３に記載の温度センサユニット。
【請求項５】
前記センサケースは、前記第一付勢部が前記センサケースを付勢する方向と直交する方向に突出している突起部を有し、
前記基部は、前記第一付勢部が前記測定対象物に向けて前記センサケースを付勢している状態において、前記第一付勢部が前記センサケースを付勢する方向及び前記突起部が突出している方向と直交する方向で前記センサケースの前記突起部と当接することで、前記センサケースの動きを規制する当接面を有する、請求項１〜４のいずれか一項に記載の温度センサユニット。
【請求項６】
前記基部と前記第二付勢部とを連結する連結部を有し、
前記基部及び前記第二付勢部の一方は、前記連結部側とは反対側に位置している縁から、前記基部及び前記第二付勢部の他方に向かって突出している突出部を有している、請求項１〜５のいずれか一項に記載の温度センサユニット。
【請求項７】
前記センサケースは、前記第一付勢部が前記センサケースを付勢する方向と直交する方向に突出している突起部を有し、
前記基部は、
前記第一付勢部が前記測定対象物に向けて前記センサケースを付勢している状態において、前記第一付勢部が前記センサケースを付勢する方向及び前記突起部が突出している方向と直交する方向で前記センサケースの前記突起部と当接することで、前記センサケースの動きを規制する当接面と、
前記第二付勢部と連結されており、前記第二付勢部と連結している側とは反対側に位置している縁から、前記第二付勢部に向かって突出している突出部と、を有し、
前記基部の前記突出部は、前記測定対象物と接触する接触面を含む面に対して傾斜しており、
前記第一付勢部が前記測定対象物に向けて前記センサケースを付勢している状態において、前記センサケースの前記突起部は、前記基部の前記突出部と前記第一付勢部との間に位置する、請求項２〜４のいずれか一項に記載の温度センサユニット。
【請求項８】
前記センサケースは、前記第一付勢部に接触する側に第一当接部を有し、
前記第一付勢部は、前記第一付勢部が前記測定対象物に向けて前記センサケースを付勢している状態において、前記第一付勢部が前記センサケースを付勢する方向と直交する方向で、前記第一当接部と当接することで、前記センサケースの動きを規制する第二当接部を有する、請求項１〜７のいずれか一項に記載の温度センサユニット。
【請求項９】
前記センサケースは、
前記第一付勢部が前記測定対象物に向けて前記センサケースを付勢している状態において、前記第一付勢部と接触する第一面と、
前記第一付勢部が前記測定対象物に向けて前記センサケースを付勢している状態において、前記測定対象物と接触する第二面と、
前記第二面を含む面から突出する突起部と、を有する、請求項１〜８のいずれか一項に記載の温度センサユニット。
【請求項１０】
前記基部は、前記第一付勢部が前記測定対象物に向けて前記センサケースを付勢している状態において、前記第二面に平行な方向で、前記第二面を含む面から突出する突起部と当接することで、前記センサケースの動きを規制する規制面を有する、請求項９に記載の温度センサユニット。
【請求項１１】
前記位置決め部材は、金属である、請求項１〜１０のいずれか一項に記載の温度センサユニット。
【請求項１２】
前記第一及び第二付勢部の少なくとも一方は、板バネを構成している、請求項１〜１１のいずれか一項に記載の温度センサユニット。
【請求項１３】
前記第一及び第二付勢部の前記少なくとも一方は、前記基部と連結されている側に位置する基端部と、前記基部と連結されている側とは反対側に位置する先端部と、前記基端部に連結されていると共に前記先端部側に延在する第一板バネ部と、前記先端部に連結されていると共に前記基端部側に延在する第二板バネ部と、を有している、請求項１２に記載の温度センサユニット。
【請求項１４】
前記センサケースは、前記測定対象物が前記把持部に把持された状態で、前記測定対象物と前記第一付勢部との間に挿脱可能である、請求項１〜１３のいずれか一項に記載の温度センサユニット。
【発明の詳細な説明】
【技術分野】
【０００１】
本発明は、温度センサユニットに関する。
【背景技術】
【０００２】
温度センサと、温度センサが収容されているセンサケースと、測定対象物に対してセンサケースを位置決めする位置決め部材と、を備えている温度センサユニットが知られている（たとえば、特許文献１）。
【先行技術文献】
【特許文献】
【０００３】
【特許文献１】特開２０１１−２５９５４９号公報
【発明の概要】
【発明が解決しようとする課題】
【０００４】
特許文献１に記載の温度センサユニットでは、センサケースが測定対象物に位置決めされている状態で、測定対象物とセンサケースが接触していない。このため、測定対象物の温度を正確に測定できないおそれがある。特許文献１に記載の温度センサユニットでは、センサケースが測定対象物に位置決めされているものの、センサケースの位置がセンサケースの長手方向にずれるおそれがある。センサケースの位置がずれた場合でも、測定対象物の温度を正確に測定できないおそれがある。
【０００５】
本発明は、正確に温度を測定することができる温度センサユニットを提供することを目的とする。
【課題を解決するための手段】
【０００６】
本発明に係る温度センサユニットは、温度センサと、温度センサが収容されているセンサケースと、測定対象物に対してセンサケースを位置決めする位置決め部材と、を備え、位置決め部材は、測定対象物を把持する把持部と、把持部に連結されていると共に、把持部によって把持されている測定対象物とセンサケースとが接触している状態で、測定対象物に向けてセンサケースを付勢する第一付勢部と、を有し、把持部は、基部と、基部に向けて測定対象物を付勢する第二付勢部と、を有し、基部は、第一付勢部が測定対象物に向けてセンサケースを付勢している状態において、センサケースと当接することで、第一付勢部がセンサケースを付勢する方向に直交する方向におけるセンサケースの動きを規制する。
【０００７】
本発明に係る温度センサユニットでは、第一付勢部が、把持部によって把持されている測定対象物とセンサケースとが接触している状態で、測定対象物に向けてセンサケースを付勢する。測定対象物とセンサケースとが接触しているため、測定対象物の温度が正確に測定される。
【０００８】
本発明に係る温度センサユニットでは、基部は、第一付勢部がセンサケースを付勢する方向に直交する方向におけるセンサケースの動きを規制する。このため、測定対象物に対するセンサケースの位置がずれ難い。この結果、温度センサによる温度測定位置が正確に定まるので、測定対象物の温度がより一層正確に測定される。
【０００９】
基部は、第一付勢部がセンサケースを付勢する方向に直交する方向から見て、第一付勢部と第二付勢部との間に位置していてもよい。この場合、温度センサユニットがコンパクトに構成され得る。
【００１０】
基部には、センサケースが配置される開口が形成されており、開口を画成する縁に、それぞれ異なる方向で、開口に配置されているセンサケースと当接することで、センサケースの動きを規制する複数の規制面が形成されていてもよい。この場合、センサユニットの動きが更に規制される。
【００１１】
基部には、開口に連続する、センサケースの挿入口が形成されていてもよい。この場合、位置決め部材及び測定対象物に対して、センサケースが容易に挿脱され得る。したがって、温度センサユニットの取り扱いが容易である。
【００１２】
センサケースは、第一付勢部がセンサケースを付勢する方向と直交する方向に突出している突起部を有してもよい。基部は、第一付勢部が測定対象物に向けてセンサケースを付勢している状態において、第一付勢部がセンサケースを付勢する方向及び突起部が突出している方向と直交する方向でセンサケースの突起部と当接することで、センサケースの動きを規制する当接面を有してもよい。この場合、基部は、コンパクトな構成で、第一付勢部がセンサケースを付勢する方向及び突起部が突出している方向と直交する方向のセンサケースの動きを規制することができる。このため、コンパクトな構成でありながら、測定対象物に対するセンサケースの位置が一層ずれ難い。
【００１３】
基部と第二付勢部とを連結する連結部を有し、基部及び第二付勢部の一方は、連結部側とは反対側に位置している縁から、基部及び第二付勢部の他方に向かって突出している突出部を有していてもよい。この場合、突出部が測定対象物に当接することにより、測定対象物に対して位置決め部材がずれ難い。このため、温度センサによる温度測定位置が正確に定まるので、測定対象物の温度がより一層正確に測定される。
【００１４】
センサケースは、第一付勢部がセンサケースを付勢する方向と直交する方向に突出している突起部を有し、基部は、第一付勢部が測定対象物に向けてセンサケースを付勢している状態において、第一付勢部がセンサケースを付勢する方向及び突起部が突出している方向と直交する方向でセンサケースの突起部と当接することで、センサケースの動きを規制する当接面と、第二付勢部と連結されており、第二付勢部と連結している側とは反対側に位置している縁から、第二付勢部に向かって突出している突出部と、を有し、基部の突出部は、測定対象物と接触する接触面を含む面に対して傾斜しており、第一付勢部が測定対象物に向けてセンサケースを付勢している状態において、センサケースの突起部は、基部の突出部と第一付勢部との間に位置してもよい。この場合、基部は、コンパクトな構成で、第一付勢部がセンサケースを付勢する方向及びセンサケースの突起部が突出している方向と直交する方向のセンサケースの動きを規制することができる。基部の突出部が測定対象物に当接することにより、測定対象物に対して位置決め部材がずれるおそれが低減され得る。センサケースの突起部が位置する領域と基部の突出部の形成とが容易に形成され得る。
【００１５】
センサケースは、第一付勢部に接触する側に第一当接部を有し、第一付勢部は、第一付勢部が測定対象物に向けてセンサケースを付勢している状態において、第一付勢部がセンサケースを付勢する方向と直交する方向で、第一当接部と当接することで、センサケースの動きを規制する第二当接部を有してもよい。この場合、位置決め部材は、コンパクトな構成で、第一付勢部がセンサケースを付勢する方向と直交する方向のセンサケースの動きを規制することができる。
【００１６】
センサケースは、第一付勢部が測定対象物に向けてセンサケースを付勢している状態において、第一付勢部と接触する第一面と、第一付勢部が測定対象物に向けてセンサケースを付勢している状態において、測定対象物と接触する第二面と、第二面を含む面から突出する突起部と、を有してもよい。この場合、突起部が測定対象物の縁に当接され得る。このため、第二面と平行な方向におけるセンサケースの動きが規制され得る。
【００１７】
基部は、第一付勢部が測定対象物に向けてセンサケースを付勢している状態において、第二面に平行な方向で、第二面を含む面から突出する突起部と当接することで、センサケースの動きを規制する規制面を有してもよい。この場合、第三面が測定対象物の縁に当接されていれば、基部によってセンサケースのずれが低減される共に、位置決め部材のずれも低減される。
【００１８】
位置決め部材は、金属であってもよい。この場合、センサケースに測定対象物の温度が伝達され易い。
【００１９】
第一及び第二付勢部の少なくとも一方は、板バネを構成していてもよい。この場合、第一付勢部又は第二付勢部とセンサケースとの接触面積が広い。このため、測定対象物に対するセンサケースの位置が一層ずれ難い。当該付勢部が金属である場合には、センサケースに測定対象物の温度が一層伝達され易い。
【００２０】
第一及び第二付勢部の少なくとも一方は、基部と連結されている側に位置する基端部と、基部と連結されている側とは反対側に位置する先端部と、基端部に連結されていると共に先端部側に延在する第一板バネ部と、先端部に連結されていると共に基端部側に延在する第二板バネ部とを有してもよい。この場合、異なる作用点を有する第一板バネ部と第二板バネ部でセンサケースが付勢されるため、測定対象物に対するセンサケースの位置が一層ずれ難い。
【００２１】
センサケースは、測定対象物が把持部に把持された状態で、測定対象物と第一付勢部との間に挿脱可能であってもよい。この場合、温度センサユニットの取り扱いが容易である。
【発明の効果】
【００２２】
本発明によれば、高精度に温度を検知することができる温度センサユニットを提供することができる。
【図面の簡単な説明】
【００２３】
【図１】第１実施形態に係る温度測定ユニットを示す斜視図である。
【図２】温度センサの構成を説明するための図である。
【図３】センサケースの斜視図である。
【図４】センサケースの斜視図である。
【図５】位置決め部材の斜視図である。
【図６】位置決め部材の斜視図である。
【図７】位置決め部材の斜視図である。
【図８】温度測定ユニットの断面図である。
【図９】位置決め部材の取り付け過程を説明するための図である。
【図１０】位置決め部材の取り付け過程を説明するための図である。
【図１１】センサケースの取り付け過程を説明するための図である。
【図１２】第２実施形態に係る温度測定ユニットを示す斜視図である。
【図１３】センサケースの斜視図である。
【図１４】センサケースの斜視図である。
【図１５】位置決め部材の斜視図である。
【図１６】位置決め部材の斜視図である。
【図１７】位置決め部材の斜視図である。
【図１８】温度測定ユニットの断面図である。
【図１９】位置決め部材の取り付け過程を説明するための図である。
【図２０】位置決め部材の取り付け過程を説明するための図である。
【図２１】センサケースの取り付け過程を説明するための図である。
【発明を実施するための形態】
【００２４】
以下、添付図面を参照して、本発明の実施形態について詳細に説明する。なお、説明において、同一要素又は同一機能を有する要素には、同一符号を用いることとし、重複する説明は省略する。
［第１実施形態］
【００２５】
まず、図１〜図８を参照して、本実施形態に係る温度測定ユニットの構成について説明する。図１は、本実施形態に係る温度測定ユニットを示す概略斜視図である。
【００２６】
図１に示されているように、温度測定ユニット１００は、温度センサユニット１５０と、測定対象物１６０とを備える。測定対象物１６０は、温度センサ１１０による温度測定対象である。すなわち、温度測定ユニット１００では、温度センサユニット１５０が測定対象物１６０の温度を測定する。
【００２７】
温度センサユニット１５０は、温度センサ１１０と、温度センサ１１０が収容されているセンサケース１２０と、測定対象物１６０に対してセンサケース１２０を位置決めする位置決め部材１３０とを備えている。
【００２８】
図２に示されているように、温度センサ１１０は、検知部１１０ａ、検知部１１０ａに設けられている２つの電極（図示省略）にそれぞれ接続されている導線１１０ｂ，１１０ｃ、及び導線１１０ｂ，１１０ｃにそれぞれ電気的に接続されているリード線１１０ｄ，１１０ｅを有している。検知部１１０ａには、たとえば、温度が高くなると抵抗が低くなる特性を有する、ＮＴＣ（Negative  Temperature  Coefficient）サーミスタ素子が用いられる。
【００２９】
センサケース１２０は、長手方向の一端に底部１２１を有し、他端に開口部１２２を有する有底筒状である。センサケース１２０には、開口部１２２から温度センサ１１０が挿入された状態で、樹脂１２３が充填されている。温度センサ１１０の検知部１１０ａは、硬化した樹脂１２３によって、センサケース１２０の底部１２１付近で位置決めされている。検知部１１０ａと電気的に接続されているリード線１１０ｄ，１１０ｅは、開口部１２２からセンサケース１２０の外部に延在している。センサケース１２０は、たとえば、熱可塑性樹脂から構成される。樹脂１２３は、たとえばエポキシ樹脂などの熱硬化性樹脂である。
【００３０】
位置決め部材１３０は、金属からなり、センサケース１２０に付勢力を与える付勢部１３１と、測定対象物１６０を把持する把持部１３２と、把持部１３２と付勢部１３１とを連結する連結部１３３とを有している。位置決め部材１３０の材料である金属には、ばね用リン青銅、又は、ばね用ステンレス鋼などが用いられる。
【００３１】
測定対象物１６０は、たとえば、他の電気回路（不図示）の一構成要素として機能する導電性部材である。測定対象物１６０は、板状部１６１を有している。位置決め部材１３０は、把持部１３２が板状部１６１を把持することによって、測定対象物１６０に位置決めされる。板状部１６１の長辺側の縁には、切り欠き部１６２が形成されている。以下、板状部１６１の長手方向をＸ軸方向とし、幅方向をＹ軸方向とし、厚み方向をＺ軸方向とする。
【００３２】
位置決め部材１３０の付勢部１３１は、把持部１３２によって把持されている測定対象物１６０とセンサケース１２０とが接触している状態で、測定対象物１６０に向けてセンサケース１２０を付勢する。すなわち、付勢部１３１は、−Ｚ軸方向（Ｚ軸の負方向）に付勢力を発生する。
【００３３】
把持部１３２は、基部１３４と、基部１３４に向けて測定対象物１６０を付勢する付勢部１３５と、基部１３４と付勢部１３５とを連結する連結部１３６とを有する。連結部１３６は、連結部１３３に接続されている側とは反対側で基部１３４に接続されている。本実施形態では、付勢部１３５は、＋Ｚ軸方向（Ｚ軸の正方向）に付勢力を発生する。
【００３４】
付勢部１３１と基部１３４と付勢部１３５とは、略矩形形状を有しており、Ｚ軸方向で互いに対向している。＋Ｚ軸方向において、付勢部１３１、基部１３４、付勢部１３５の順で配置されている。付勢部１３１及び付勢部１３５は、それぞれ、基部１３４と連結されている側に位置する基端部１３１ａ，１３５ａと、基部１３４と連結されている側とは反対側に位置する先端部１３１ｂ，１３５ｂとを有している。
【００３５】
付勢部１３１及び付勢部１３５は、それぞれ、板バネを構成する突片である。付勢部１３１は、基端部１３１ａと先端部１３１ｂとを連結する一対の第一板バネ部１３１ｃと、第一板バネ部１３１ｃの内側に位置する共に矩形形状である第二板バネ部１３１ｄと、を有している。すなわち、第二板バネ部１３１ｄは、基端部１３１ａと、先端部１３１ｂと、第一板バネ部１３１ｃとに囲われている。第二板バネ部１３１ｄは、先端部１３１ｂに連結されていると共に基端部１３１ａ側に延在している。第二板バネ部１３１ｄは、基端部１３１ａ及び第一板バネ部１３１ｃから離間している。
【００３６】
付勢部１３５は、基端部１３５ａと先端部１３５ｂとを連結する一対の第一板バネ部１３５ｃと、第一板バネ部１３５ｃの内側に位置する共に矩形形状である第二板バネ部１３５ｄと、を有している。すなわち、第二板バネ部１３５ｄは、基端部１３５ａと、先端部１３５ｂと、第一板バネ部１３５ｃとに囲われている。第二板バネ部１３５ｄは、先端部１３５ｂに連結されていると共に基端部１３５ａ側に延在している。第二板バネ部１３５ｄは、基端部１３５ａ及び第一板バネ部１３５ｃから離間している。
【００３７】
基部１３４は、付勢部１３１がセンサケース１２０を付勢する−Ｚ軸方向に直交するＸ軸方向から見て、付勢部１３１と付勢部１３５との間に位置する。基部１３４は、測定対象物１６０と接触する接触面１３４ａを有する。接触面１３４ａには、開口Ａが形成されている。
【００３８】
付勢部１３１が測定対象物１６０に向けてセンサケース１２０を付勢している状態において、センサケース１２０は開口Ａに位置する。このため、図７に示されているように、開口Ａは、センサケース１２０に沿った形状を有している。図５〜図７に示されているように、基部１３４は、開口Ａを画成する縁に、複数の規制面１３４ｂ，１３４ｃ，１３４ｄ，１３４ｅを有している。複数の規制面１３４ｂ，１３４ｃ，１３４ｄ，１３４ｅは、開口Ａに位置しているセンサケース１２０と互いに異なる方向で当接することでセンサケース１２０の動きを規制する。
【００３９】
より具体的には、付勢部１３１が測定対象物１６０に向けてセンサケース１２０を付勢している状態において、規制面１３４ｂ，１３４ｃ，１３４ｄ，１３４ｅは、それぞれ、−Ｘ軸方向（Ｘ軸の負方向）、−Ｙ軸方向（Ｙ軸の負方向）、＋Ｙ軸方向（Ｙ軸の正方向）、＋Ｘ軸方向（Ｘ軸の正方向）でセンサケース１２０と当接し得る。したがって、規制面１３４ｂ，１３４ｃ，１３４ｄ，１３４ｅは、付勢部１３１がセンサケース１２０を付勢する方向に直交する、−Ｘ軸方向、−Ｙ軸方向、＋Ｙ軸方向、＋Ｘ軸方向におけるセンサケース１２０の動きを規制する。
【００４０】
基部１３４は、連結部１３６側とは反対側に位置している縁から、付勢部１３５に向かって突出している突出部１３７を有している。突出部１３７は、接触面１３４ａを含む面の一部を付勢部１３５側に曲げることにより形成されており、接触面１３４ａを含む面に対して傾斜している。この構成により、突出部１３７は、付勢部１３５が測定対象物１６０を付勢する＋Ｚ軸方向に弾性を有している。＋Ｚ軸方向における突出部１３７の弾性係数は、＋Ｚ軸方向における付勢部１３５の弾性係数よりも低い。
【００４１】
接触面１３４ａを含む面の一部を付勢部１３５側に曲げたことによって、付勢部１３１が測定対象物１６０に向けてセンサケース１２０を付勢している状態で、センサケース１２０の突起部１２５が位置する領域も形成されている。すなわち、付勢部１３１が測定対象物１６０に向けてセンサケース１２０を付勢している状態において、突起部１２５は、基部１３４の突出部１３７と付勢部１３１との間に位置する。センサケース１２０の突起部１２５が位置する領域は、開口Ａに連通している。
【００４２】
図３及び図４に示されているように、センサケース１２０は、直方体形状を呈している。センサケース１２０は、付勢部１３１が測定対象物１６０に向けてセンサケース１２０を付勢している状態において、付勢部１３１と接触する面１２０ａと、測定対象物１６０と接触する面１２０ｂとを有する。直方体形状には、角部及び稜線部が面取りされている直方体の形状、及び、角部及び稜線部が丸められている直方体の形状が含まれる。
【００４３】
センサケース１２０は、付勢部１３１がセンサケース１２０を付勢する−Ｚ軸方向と直交する＋Ｙ軸方向に面１２０ａから突出する突起部１２５を有している。すなわち、突起部１２５は、面１２０ａに平行で、かつ、センサケース１２０の長手方向に直交する方向に突出している。突起部１２５は、付勢部１３１が測定対象物１６０に向けてセンサケース１２０を付勢している状態において、切り欠き部１３８に配置される。
【００４４】
突起部１２５は、付勢部１３１が測定対象物１６０に向けてセンサケース１２０を付勢している状態において、規制面１３４ｅと当接する当接面１２５ａを有している。当接面１２５ａは、付勢部１３１がセンサケース１２０を付勢する−Ｚ軸方向及び突起部１２５が突出している＋Ｙ軸方向と直交する＋Ｘ軸方向で、規制面１３４ｅと当接する。すなわち、当接面１２５ａと規制面１３４ｅとの当接によって、＋Ｘ軸方向におけるセンサケース１２０の動きが規制される。
【００４５】
次に、図９及び図１０を参照して、測定対象物１６０に対する、位置決め部材１３０の取り付け過程について説明する。
【００４６】
位置決め部材１３０は、測定対象物１６０の切り欠き部１６２が設けられている側から、基部１３４と付勢部１３５との間に測定対象物１６０が挿入されることで、測定対象物１６０に取り付けられる。換言すれば、付勢部１３５の先端部１３５ｂと基部１３４の突出部１３７との間に測定対象物１６０の切り欠き部１６２が設けられている側を宛がった状態から、連結部１３６側に測定対象物１６０が押し込まれることで、位置決め部材１３０が測定対象物１６０に取り付けられる。
【００４７】
把持部１３２が測定対象物１６０の板状部１６１を把持する際、位置決め部材１３０が切り欠き部１６２と把持部１３２の縁とが当接する位置に配置されることにより、位置決め部材１３０は、測定対象物１６０に対するＸ軸方向の動きが規制される。すなわち、把持部１３２の縁が測定対象物１６０の切り欠き部１６２と当接することで、Ｘ軸方向における位置決め部材１３０の動きが規制される。
【００４８】
突出部１３７は、突出部１３７が突出している方向とは反対方向において付勢部１３５よりも低い弾性率を有している。このため、突出部１３７は、測定対象物１６０が把持部１３２によって把持される過程（基部１３４と付勢部１３５との間に測定対象物１６０が挿入される過程）で、測定対象物１６０から＋Ｚ軸方向に力を受け、付勢部１３１側に撓む。
【００４９】
測定対象物１６０の切り欠き部１６２が設けられている側が連結部１３６まで挿入されると、突出部１３７は、測定対象物１６０から＋Ｚ軸方向に受ける力がなくなり、図６に示されている元の位置に戻る。突出部１３７が元の位置に戻ると、位置決め部材１３０は、突出部１３７と測定対象物１６０とが当接することで、測定対象物１６０に対する＋Ｙ軸方向への動きが規制される。
【００５０】
次に、図１及び図１１を参照して、位置決め部材１３０及び把持部１３２に把持されている測定対象物１６０に対する、センサケース１２０の取り付け過程について説明する。
【００５１】
センサケース１２０は、突起部１２５を連結部１３３と対向させた状態で、付勢部１３１と基部１３４との間に挿入され、更に連結部１３３側に移動されることで、開口Ａに収まり、位置決め部材１３０及び測定対象物１６０に取り付けられる。換言すれば、付勢部１３１の先端部１３１ｂと連結部１３６との間にセンサケース１２０の突起部１２５が設けられている側を宛がった状態から、連結部１３３側にセンサケース１２０が押し込まれることで、センサケース１２０が位置決め部材１３０及び測定対象物１６０に取り付けられる。このような構造により、位置決め部材１３０は、把持部１３２によって把持された測定対象物１６０と付勢部１３１との間にセンサケース１２０を挿脱可能である。
【００５２】
センサケース１２０が開口Ａに配置されると、突起部１２５は基部１３４の接触面１３４ａを含む面の一部を切り曲げることによって形成された切り欠き部１３８に位置する。このため、突起部１２５の当接面１２５ａと規制面１３４ｅとが当接することで、＋Ｘ軸方向におけるセンサケース１２０の動きが規制される。
【００５３】
センサケース１２０が開口Ａに配置されると、第一板バネ部１３１ｃと第二板バネ部１３１ｄとが互いに異なる位置にセンサケース１２０の面１２０ａに付勢力を与える。
【００５４】
以上説明したように、温度センサユニット１５０では、付勢部１３１が、把持部１３２によって把持されている測定対象物１６０とセンサケース１２０とが接触している状態で、測定対象物１６０に向けてセンサケース１２０を付勢する。測定対象物１６０とセンサケース１２０とが接触しているため、測定対象物１６０の温度が正確に測定される。
【００５５】
温度センサユニット１５０では、基部１３４は、付勢部１３１がセンサケース１２０を付勢する方向に直交する方向におけるセンサケース１２０の動きを規制する。このため、測定対象物１６０に対するセンサケースの位置がずれ難い。この結果、温度センサ１１０による温度測定位置が正確に定まるので、測定対象物１６０の温度がより一層正確に測定される。
【００５６】
基部１３４は、付勢部１３１がセンサケース１２０を付勢する方向に直交するＸ軸方向から見て、付勢部１３１と付勢部１３５との間に位置する。このため、温度センサユニット１５０がコンパクトに構成され得る。
【００５７】
基部１３４には、センサケース１２０が配置される開口Ａが形成されている。開口Ａを画成する縁には、複数の規制面１３４ｂ，１３４ｃ，１３４ｄ，１３４ｅがある。複数の規制面１３４ｂ，１３４ｃ，１３４ｄ，１３４ｅは、それぞれ異なる方向で、開口Ａに位置しているセンサケース１２０と当接することでセンサケース１２０の動きを規制する。このため、センサケース１２０の動きが更に規制される。
【００５８】
センサケース１２０の突起部１２５の当接面１２５ａは、付勢部１３１が測定対象物１６０に向けてセンサケース１２０を付勢している状態において、付勢部１３１がセンサケース１２０を付勢する−Ｚ軸方向及び突起部１２５が突出している＋Ｙ軸方向と直交する＋Ｘ軸方向で規制面１３４ｅと当接する。このため、基部１３４は、コンパクトな構成で、付勢部１３１がセンサケース１２０を付勢する方向及び突起部１２５が突出している方向と直交する方向のセンサケース１２０の動きを規制することができる。したがって、コンパクトな構成でありながら、測定対象物１６０に対するセンサケースの位置が一層ずれ難い。
【００５９】
基部１３４は、突出部１３７を有している。このため、突出部１３７が測定対象物１６０に当接することにより、測定対象物１６０に対して位置決め部材１３０がずれ難い。したがって、温度センサによる温度測定位置が正確に定まるので、測定対象物１６０の温度がより一層正確に測定される。
【００６０】
突出部１３７は、付勢部１３５が測定対象物１６０を付勢する方向に弾性を有し、付勢部１３５が測定対象物１６０を付勢する＋Ｚ軸方向において、付勢部１３５よりも低い弾性係数を有している。このため、付勢部１３５の付勢力を落とさなくとも、測定対象物１６０を位置決め部材１３０に取り付ける操作が容易になり得る。
【００６１】
基部１３４の突出部１３７は、接触面１３４ａを含む面に対して傾斜している。付勢部１３１が測定対象物１６０に向けてセンサケース１２０を付勢している状態において、センサケース１２０の突起部１２５は、基部１３４の突出部１３７と付勢部１３５との間に位置する。このため、突出部１３７が、接触面１３４ａを含む面の一部を付勢部１３５側に曲げることにより形成することで、センサケース１２０の突起部１２５が位置する領域と基部１３４の突出部１３７とが同時に形成され得る。したがって、製造が容易である。
【００６２】
位置決め部材１３０は、金属からなる。このため、センサケース１２０に測定対象物１６０の温度が伝達され易い。
【００６３】
付勢部１３１及び付勢部１３５は、板バネを構成している。このため、付勢部１３１及び付勢部１３５とセンサケース１２０との接触面積が広い。測定対象物１６０に対して位置決め部材１３０がずれ難い。付勢部１３１が金属からなるため、センサケース１２０に測定対象物１６０の温度が一層伝達され易い。
【００６４】
付勢部１３１及び付勢部１３５は、第一板バネ部１３１ｃ，１３５ｃと第二板バネ部１３１ｄ，１３５ｄとを有している。このため、異なる作用点を有する第一板バネ部１３１ｃ，１３５ｃと第二板バネ部１３１ｄ，１３５ｄでセンサケース１２０が付勢されるため、測定対象物１６０に対するセンサケース１２０の位置が一層ずれ難い。
【００６５】
センサケース１２０は、測定対象物１６０が把持部１３２に把持された状態で、測定対象物１６０と付勢部１３１との間に挿脱可能である。このため、温度センサユニット１５０の取り扱いが容易である。
【００６６】
測定対象物１６０は、把持部１３２の縁と当接することで、位置決め部材１３０の動きを規制する切り欠き部１６２を有する。このため、測定対象物１６０に対して位置決め部材１３０がずれるおそれが低減される。この結果、温度センサ１１０による温度測定位置が正確に定まるので、測定対象物１６０の温度がより一層正確に測定される。
［第２実施形態］
【００６７】
まず、図１２〜図１８を参照して、本実施形態に係る温度測定ユニットの構成について説明する。図１２は、本実施形態に係る温度測定ユニットを示す概略斜視図である。以下、板状部１６１の長手方向をＸ軸方向とし、幅方向をＹ軸方向とし、厚み方向をＺ軸方向とする。
【００６８】
図１２に示されているように、温度測定ユニット２００は、温度センサユニット２５０と、測定対象物１６０とを備える。温度測定ユニット２００では、温度センサユニット２５０が測定対象物１６０の温度を測定する。
【００６９】
温度センサユニット２５０は、温度センサ１１０と、温度センサ１１０が収容されているセンサケース２２０と、測定対象物１６０に対してセンサケース２２０を位置決めする位置決め部材２３０とを備えている。
【００７０】
センサケース２２０は、長手方向の一端に底部２２１を有し、他端に開口部２２２を有する有底筒状である。センサケース２２０には、開口部２２２から温度センサ１１０が挿入された状態で、樹脂１２３が充填されている。温度センサ１１０の検知部１１０ａは、硬化した樹脂１２３によって、センサケース２２０の底部２２１付近で位置決めされている。検知部１１０ａと電気的に接続されているリード線１１０ｄ，１１０ｅは、開口部２２２からセンサケース２２０の外部に延在している。センサケース２２０は、たとえば、熱可塑性樹脂から構成される。
【００７１】
位置決め部材２３０は、金属からなり、センサケース２２０に付勢力を与える付勢部２３１と、測定対象物１６０を把持する把持部２３２と、把持部２３２と付勢部２３１とを連結する連結部２３３とを有している。位置決め部材２３０の材料である金属には、ばね用リン青銅、又は、ばね用ステンレス鋼などが用いられる。
【００７２】
位置決め部材２３０の付勢部２３１は、把持部２３２によって把持されている測定対象物１６０とセンサケース２２０とが接触している状態で、測定対象物１６０に向けてセンサケース２２０を付勢する。すなわち、付勢部２３１は、−Ｚ軸方向に付勢力を発生する。
【００７３】
把持部２３２は、基部２３４と、基部２３４に向けて測定対象物１６０を付勢する付勢部２３５と、基部２３４と付勢部２３５とを連結する連結部２３６とを有する。連結部２３６は、連結部２３３に接続されている側とは反対側で基部２３４に接続されている。本実施形態では、付勢部２３５は、＋Ｚ軸方向に付勢力を発生する。
【００７４】
付勢部２３１と基部２３４と付勢部２３５とは、略矩形形状を有しており、Ｚ軸方向で互いに対向している。＋Ｚ軸方向において、付勢部２３１、基部２３４、付勢部２３５の順で配置されている。付勢部２３１及び付勢部２３５は、それぞれ、基部２３４と連結されている側に位置する基端部２３１ａ，２３５ａと、基部２３４と連結されている側とは反対側に位置する先端部２３１ｂ，２３５ｂとを有している。
【００７５】
付勢部２３１及び付勢部２３５は、それぞれ板バネを構成する突片である。付勢部２３１は、基端部２３１ａと先端部２３１ｂとを連結する一対の第一板バネ部２３１ｃと、第一板バネ部２３１ｃの内側に位置する共に矩形形状である第二板バネ部２３１ｄと、を有している。すなわち、第二板バネ部２３１ｄは、基端部２３１ａと、先端部２３１ｂと、第一板バネ部２３１ｃとに囲われている。第二板バネ部２３１ｄは、先端部２３１ｂに連結されていると共に基端部２３１ａ側に延在している。第二板バネ部２３１ｄは、基端部２３１ａ及び第一板バネ部２３１ｃから離間している。第一板バネ部２３１ｃには、基端部２３１ａ側において、切り欠き部２３９が形成されている。
【００７６】
付勢部２３５は、基端部２３５ａと先端部２３５ｂとを連結する一対の第一板バネ部２３５ｃと、第一板バネ部２３５ｃの内側に位置する共に矩形形状である第二板バネ部２３５ｄと、を有している。すなわち、第二板バネ部２３５ｄは、基端部２３５ａと、先端部２３５ｂと、第一板バネ部２３５ｃとに囲われている。第二板バネ部２３５ｄは、先端部２３５ｂに連結されていると共に基端部２３５ａ側に延在している。第二板バネ部２３５ｄは、基端部２３５ａ及び第一板バネ部２３５ｃから離間している。
【００７７】
基部２３４は、付勢部２３１がセンサケース２２０を付勢する−Ｚ軸方向に直交するＸ軸方向から見て、付勢部２３１と付勢部２３５との間に位置する。基部２３４は、測定対象物１６０と接触する接触面２３４ａを有する。接触面２３４ａには、開口Ｂが形成されている。
【００７８】
付勢部２３１が測定対象物１６０に向けてセンサケース２２０を付勢している状態において、センサケース２２０は開口Ｂに位置する。このため、図１７に示されているように、開口Ｂは、センサケース２２０に沿った形状を有している。図１５〜図１７に示されているように、基部２３４は、開口Ｂを画成する縁に、複数の規制面２３４ｂ，２３４ｃ，２３４ｄを有している。複数の規制面２３４ｂ，２３４ｃ，２３４ｄは、開口Ｂに位置しているセンサケース２２０と互いに異なる方向で当接することでセンサケース２２０の動きを規制する。
【００７９】
より具体的には、付勢部２３１が測定対象物１６０に向けてセンサケース２２０を付勢している状態において、規制面２３４ｂ，２３４ｃ，２３４ｄは、それぞれ、−Ｘ軸方向、−Ｙ軸方向、＋Ｙ軸方向でセンサケース２２０と当接し得る。したがって、規制面２３４ｂ，２３４ｃ，２３４ｄは、付勢部２３１がセンサケース２２０を付勢する方向に直交する、−Ｘ軸方向、−Ｙ軸方向、＋Ｙ軸方向におけるセンサケース２２０の動きを規制する。
【００８０】
基部２３４には、規制面２３４ｂと直交する＋Ｘ軸方向でセンサケース２２０を開口Ｂに挿入する挿入口Ｓが形成されている。挿入口Ｓは、開口Ｂに連続している。したがって、位置決め部材２３０は、把持部２３２によって把持された測定対象物１６０と付勢部２３１との間にセンサケース２２０を挿脱可能である。
【００８１】
図１３及び図１４に示されているように、センサケース２２０は、付勢部２３１が測定対象物１６０に向けてセンサケース２２０を付勢している状態において、付勢部２３１と接触する面２２０ａと、測定対象物１６０と接触する面２２０ｂとを有する。
【００８２】
センサケース２２０は、付勢部２３１に接触する面２２０ａに、＋Ｚ軸方向に突出する突起部２２６を有する。付勢部２３１の切り込み部２３９は、付勢部２３１が測定対象物１６０に向けてセンサケース２２０を付勢している状態において、付勢部２３１がセンサケース２２０を付勢する−Ｚ軸方向と直交する＋Ｘ軸方向で、突起部２２６と当接し得る。突起部２２６と切り込み部２３９とが当接することで、センサケース２２０の＋Ｘ軸方向の動きが規制される。
【００８３】
センサケース２２０は、面２２０ｂを含む面から−Ｚ軸方向に突出している突起部２２７を有している。突起部２２７は、面２２０ｂの縁から面２２０ａとは反対方向に延在する、面２２０ｂに垂直な面２２０ｃを有している。
【００８４】
次に、図１９及び図２０を参照して、測定対象物１６０に対する、位置決め部材２３０の取り付け過程について説明する。
【００８５】
位置決め部材２３０は、測定対象物１６０の切り欠き部１６２が設けられている側から、基部２３４と付勢部２３５との間に測定対象物１６０が挿入されることで、測定対象物１６０に取り付けられる。換言すれば、付勢部２３５の先端部２３５ｂと基部２３４の連結部２３３側との間に測定対象物１６０の切り欠き部１６２が設けられている側を宛がった状態から、連結部２３６側に測定対象物１６０が押し込まれることで、位置決め部材２３０が測定対象物１６０に取り付けられる。
【００８６】
把持部２３２が測定対象物１６０の板状部１６１を把持する際、位置決め部材２３０が切り欠き部１６２と把持部２３２の縁とが当接する位置に配置されることにより、位置決め部材２３０は、測定対象物１６０に対するＸ軸方向の動きが規制される。すなわち、把持部２３２の縁が測定対象物１６０の切り欠き部１６２と当接することで、Ｘ軸方向における位置決め部材２３０の動きが規制される。
【００８７】
次に、図１２及び図２１を参照して、位置決め部材２３０及び把持部２３２に把持されている測定対象物１６０に対する、センサケース２２０の取り付け過程について説明する。
【００８８】
センサケース２２０は、底部２２１と規制面２３４ｂとが対向し、かつ、面２２０ｂ及び面２２０ｃが測定対象物１６０の縁に接触した状態で、挿入口Ｓから規制面２３４ｂ側に押し込まれることにより、開口Ｂに挿入され、位置決め部材２３０及び測定対象物１６０に取り付けられる。
【００８９】
センサケース２２０が規制面２３４ｂと当接すると、突起部２２６が第一板バネ部２３１ｃの切り欠き部２３９に配置される。このため、付勢部２３１は、付勢部２３１が測定対象物１６０に向けてセンサケース２２０を付勢している状態において、＋Ｘ軸方向で、突起部２２６と切り欠き部２３９の縁とが当接することで、センサケース２２０の動きを規制する。
【００９０】
付勢部２３１が測定対象物１６０に向けてセンサケース２２０を付勢している状態において、面２２０ｂに平行なＹ軸方向で面２２０ｃと測定対象物１６０の縁とが当接することで、センサケース２２０の−Ｙ軸方向の動きが規制される。Ｙ軸方向で突起部２２７と規制面２３４ｂとが当接することで、＋Ｙ軸方向におけるセンサケース２２０の動きが規制される。位置決め部材２３０は、Ｙ軸方向で規制面２３４ｂと突起部２２７とが当接することで、測定対象物１６０に対する−Ｙ軸方向の動きが規制されている。
【００９１】
センサケース２２０が開口Ｂに配置されると、第一板バネ部２３１ｃと第二板バネ部２３１ｄとが互いに異なる位置にセンサケース２２０の面２２０ａに付勢力を与える。
【００９２】
以上説明したように、基部２３４には、開口Ｂに連続する、センサケースの挿入口Ｓが形成されている。このため、位置決め部材２３０及び測定対象物１６０に対して、センサケース２２０が容易に挿脱され得る。したがって、温度センサユニット２５０の取り扱いが容易である。
【００９３】
センサケース２２０は突起部２２７を有しており、第一板バネ部２３１ｃは切り欠き部２３９を有している。切り欠き部２３９の縁は、突起部２２７と当接する。このため、位置決め部材２３０は、コンパクトな構成で、付勢部２３１がセンサケース２２０を付勢する方向と直交する方向のセンサケース２２０の動きを規制することができる。
【００９４】
センサケース２２０は、面２２０ｂを含む面から突出する突起部２２７を有する。このため、突起部２２７が測定対象物１６０の縁に当接され得る。したがって、面２２０ｂと平行な方向におけるセンサケース２２０の動きが規制され得る。
【００９５】
基部２３４は、規制面２３４ｄを有している。規制面２３４ｄは、付勢部２３１が測定対象物１６０に対してセンサケース２２０を付勢している状態において、面２２０ｂに平行な方向で突起部２２７と当接することで、センサケース２２０の動きを規制する。この場合、突起部２２７が測定対象物１６０の縁に当接されていれば、基部１３４によってセンサケース１２０のずれが低減される共に、位置決め部材１３０のずれも低減される。
【００９６】
以上、本発明の実施形態について説明してきたが、本発明は必ずしも上述した実施形態に限定されるものではなく、その要旨を逸脱しない範囲で様々な変更が可能である。
【００９７】
たとえば、第１実施形態では、基部１３４が突出部１３７を有しているが、付勢部１３５が突出部１３７を有してもよい。この場合、突出部１３７は、測定対象物１６０が把持部１３２によって把持される際に、基部１３４側とは反対側に撓る。
【００９８】
第２実施形態では、センサケース２２０の面２２０ｂに突起部２２７が設けられ、付勢部２３１の切り欠き部２３９と当接する。しかし、センサケース２２０の面２２０ｂと付勢部２３１との係合関係はこの構成に限られない。たとえば、温度センサユニット２５０は、付勢部２３１の突起部が設けられ、センサケース２２０の面２２０ｂに設けられた凹部に嵌まる構成であってもよい。
【００９９】
第１及び第２実施形態では、測定対象物１６０を他の電気回路（不図示）の一構成要素として機能する導電性部材と規定したが、これに限定されない。測定対象物１６０は、熱伝達が良好である部材（たとえば、金属など）又は発熱が懸念される部材（たとえば、基板など）などであってもよい。
【符号の説明】
【０１００】
１００，２００…温度測定ユニット、１１０…温度センサ、１２０，２２０…センサケース、１６０…測定対象物、１３０，２３０…位置決め部材、１３１，１３５，２３１，２３５…付勢部、１３２，２３２…把持部、１３４，２３４…基部、１５０，２５０…温度センサユニット、１３４ａ，２３４ａ…接触面、Ａ，Ｂ…開口、１３４ｂ，１３４ｃ，１３４ｄ，１３４ｅ，２３４ｂ，２３４ｃ，２３４ｄ…規制面、Ｓ…挿入口、１２５，２２６，２２７…突起部、１３７…突出部、１２５ａ…当接面、１３８，１６２，２３９…切り欠き部、１２０ａ，１２０ｂ，２２０ａ，２２０ｂ…面、１３１ｃ，１３５ｃ，２３１ｃ，２３５ｃ…第一板バネ部、１３１ｄ，１３５ｄ，２３１ｄ，２３５ｄ…第二板バネ部、１６１…板状部。
【図１】
2018105643.tif 000003
【図２】
2018105643.tif 000004
【図３】
2018105643.tif 000005
【図４】
2018105643.tif 000006
【図５】
2018105643.tif 000007
【図６】
2018105643.tif 000008
【図７】
2018105643.tif 000009
【図８】
2018105643.tif 000010
【図９】
2018105643.tif 000011
【図１０】
2018105643.tif 000012
【図１１】
2018105643.tif 000013
【図１２】
2018105643.tif 000014
【図１３】
2018105643.tif 000015
【図１４】
2018105643.tif 000016
【図１５】
2018105643.tif 000017
【図１６】
2018105643.tif 000018
【図１７】
2018105643.tif 000019
【図１８】
2018105643.tif 000020
【図１９】
2018105643.tif 000021
【図２０】
2018105643.tif 000022
【図２１】
2018105643.tif 000023